(57)【要約】【課題】通常の使用環境において十分な接着性が得られながらも、加熱によってカウンターとシンクとを容易に分離することができるキッチンカウンターを提供すること。【解決手段】開口部２が形成されたカウンター１の裏面に、開口部と一致させてシンク３が反応硬化型接着剤により接着されて形成されるキッチンカウンターにおいて、カウンターの裏面と反応硬化型接着剤層との間に熱発泡型接着剤より形成された熱発泡型接着剤層が介設される。【選択図】図１
2007222344.tif 000002
【特許請求の範囲】
【請求項１】
開口部が形成されたカウンターの裏面に、開口部と一致させてシンクが反応硬化型接着剤により接着されて形成されるキッチンカウンターにおいて、カウンターの裏面と反応硬化型接着剤層との間に熱発泡型接着剤より形成された熱発泡型接着剤層が介設されていることを特徴とするキッチンカウンター。
【請求項２】
カウンターの裏面において開口部の外周を取り囲むように木質補強材が配設され、この木質補強材の内側縁に沿ってカウンターの裏面に熱発泡型接着剤が塗布され、熱発泡型接着剤層が形成されている請求項１記載のキッチンカウンター。
【請求項３】
開口部の外周縁に近接してカウンターの裏面に熱発泡型接着剤が塗布され、熱発泡型接着剤層が形成されている請求項１記載のキッチンカウンター。
【発明の詳細な説明】
【技術分野】
【０００１】
本願発明は、開口部が形成されたカウンターの裏面に、開口部と一致させてシンクが固着されて形成されるキッチンカウンターに関する。
【背景技術】
【０００２】
厨房装置の天板を形成するカウンターには、人造大理石などの樹脂から形成されたものが広く用いられている。カウンターにはシンクを取り付ける部位に開口部が形成され、ステンレス製のシンクが、カウンターの裏面に開口部と一致するように固着されてキッチンカウンターが作製される。具体的には、カウンターの裏面において開口部の外周に、シンク上端に設けられたフランジを配置し、接着剤によりシンクをカウンターに取り付けている。接着剤には、一般に、硬度の高いウレタン系接着剤などの反応硬化型接着剤が用いられ、カウンターとシンクとは強固に接着されている。
【０００３】
近年、環境問題の高まりや省資源化への要請、そして、資源有効利用促進法の制定により、キッチンカウンターについてもリサイクルによる資源の有効利用が求められている。廃棄時に異種材料から形成されているカウンターとシンクとを分離し、解体することが必要となっている。しかしながら、これまでのキッチンカウンターは、上記の通り、カウンターとシンクとが強固に接着されているため、分離解体することが非常に難しい。
【０００４】
そこで、たとえば、熱により発泡する熱発泡材料を接着剤中に混入し、加熱によりカウンターとシンクとを分離することが考えられている。だが、反応硬化型接着剤は硬度が高いため、接着剤を発泡させるためには多量の熱発泡材料を接着剤に混入する必要があるという問題がある。しかも、多量の熱発泡材料の混入により、接着剤の凝集力が低下し、十分な接着性が得られず、通常の使用環境においてシンクが外れてしまう可能性がある。
【０００５】
加熱分離を容易とするためには、接着剤そのものを、たとえば変性シリコーン樹脂のような弾性系樹脂接着剤に変更し、そして、熱発泡材料を接着剤に混入することが考えられるが（特許文献１）、この場合も、接着剤の凝集力が小さくなり、通常の使用環境下でシンクが外れてしまう可能性を否定できない。
【特許文献１】特開２００３−６１７７１号公報
【発明の開示】
【発明が解決しようとする課題】
【０００６】
本願発明は、このような事情に鑑みてなされたものであり、通常の使用環境において十分な接着性が得られながらも、加熱によってカウンターとシンクとを容易に分離することができるキッチンカウンターを提供することを課題としている。
【課題を解決するための手段】
【０００７】
本願発明は、上記の課題を解決するために、第１に、開口部が形成されたカウンターの裏面に、開口部と一致させてシンクが反応硬化型接着剤により接着されて形成されるキッチンカウンターにおいて、カウンターの裏面と反応硬化型接着剤層との間に熱発泡型接着剤より形成された熱発泡型接着剤層が介設されていることを特徴としている。
【０００８】
本願発明は、第２に、カウンターの裏面において開口部の外周を取り囲むように木質補強材が配設され、この木質補強材の内側縁に沿ってカウンターの裏面に熱発泡型接着剤が塗布され、熱発泡型接着剤層が形成されていることを特徴としている。
【０００９】
本願発明は、第３に、開口部の外周縁に近接してカウンターの裏面に熱発泡型接着剤が塗布され、熱発泡型接着剤層が形成されていることを特徴としている。
【発明の効果】
【００１０】
本願の第１の発明によれば、カウンターとシンクとは反応硬化型接着剤により接着されるので、通常の使用環境において十分な接着性が得られ、シンクが外れるおそれはない。また、カウンターの裏面と反応硬化型接着剤層との間に熱発泡型接着剤より形成された熱発泡型接着剤層が介設されるので、廃棄時にキッチンカウンターを加熱することにより熱発泡型接着剤が発泡し、接着力が低下して、カウンターとシンクとに分離解体することができる。
【００１１】
本願の第２の発明によれば、熱発泡型接着剤の塗布を、カウンターの裏面に配設された木質補強材を基準にして行うことができ、熱発泡型接着剤の塗工作業性が良好である。
【００１２】
本願の第３の発明によれば、シンクのフランジと同形状のフランジ形状枠を開口部に嵌め込み、このフランジ形状枠を基準にして熱発泡型接着剤の塗布を行うことができ、この場合、熱発泡型接着剤の塗布部位に角隅部がないので、熱発泡型接着剤の塗工作業性が向上する。
【発明を実施するための最良の形態】
【００１３】
図１は、本願発明のキッチンカウンターの一実施形態を示した要部平面図である。図２は、図１図中のＡ−Ａ断面図である。
【００１４】
キッチンカウンターは、人造大理石製のカウンター１と、カウンター１に形成された開口部２に一致させてカウンター１の裏面に固着されたステンレス製のシンク３とから形成されている。カウンター１の前縁は垂下し、前垂れ部４が形成され、後端は立ち上がり、バックガード５が形成されている。カウンター１の裏面には前後両端部に木質補強材６が配設されている。前端部の木質補強材６はカウンター１の前垂れ部４に沿って内側に配置され、後端部の木質補強材６はバックガード５に沿って配置されている。これらの木質補強材６は、接着剤によりカウンター１の裏面に取り付けられている。カウンター１の裏面には、また、開口部２の左右両側に開口部２に近接して木質補強材７が配設されている。木質補強材７は、木質補強材６とともに、カウンター１の裏面において開口部２の外周を四角く取り囲んでいる。木質補強材７もカウンター１の裏面に接着剤により取り付けられている。このような木質補強材６、７の配設によってカウンター１は補強されている。
【００１５】
シンク３は、上端に、外側にのびるフランジ８を有し、フランジ８は、木質補強材６、７によって囲まれた区画の内側に配置されている。シンク３は、木質補強材６、７との間に注入される反応硬化型接着剤によってカウンター１の裏面に接着されている。反応硬化型接着剤は、硬化により反応硬化型接着剤層９を形成している。反応硬化型接着剤には、カウンター１とシンク３との接着に用いられていた２液型の熱硬化型ウレタン系接着剤などを従来通り使用することができる。
【００１６】
そして、本実施形態では、図２に示したように、カウンター１の裏面と反応硬化型接着剤層９との間に熱発泡型接着剤より形成された熱発泡型接着剤層１０が介設されている。熱発泡型接着剤は、加熱により発泡し、接着力が低下してカウンター１とシンク３とを分離可能にするものである。たとえば、ウレタン系１液タイプ、変性シリコーン系１液タイプ、エポキシ系１液タイプ、エポキシ系２液タイプなどの接着剤に発泡剤を混入したものが例示される。発泡剤には、有機系、無機系のいずれのものも用いることができ、有機系発泡剤としては、トリクロロモノフルオロメタンなどのフッ化アルカン、アゾビスイソブチロニトリルなどのアゾ系化合物、パラトルエンスルホニルヒドラジドなどのヒドラジン系化合物、ρ−トルイレンスルホニルセミカルバジドなどのセミカルバジド系化合物、５−モルホリル−１，２，３，４−チアトリアゾールなどのトリアゾール系化合物、Ｎ，Ｎ’−ジニトロソテレフタルアミドなどのＮ−ニトロソ化合物、その他の低沸点溶媒などが例示される。無機系発泡剤としては、炭酸アンモニウム、炭酸水素アンモニウム、亜硝酸アンモニウム、水素化ホウ素アンモニウム、アジト類などが例示される。
【００１７】
より好ましくは、熱発泡型接着剤は、１液型の変性シリコーン樹脂などの弾性系樹脂接着剤中に熱膨張型機能材料が分散したものとすることができる。弾性系樹脂接着剤は、接着耐久性が良好であるとともに、キッチンカウンターの廃棄時には加熱によって柔軟性が確保される。熱膨張型機能材料には、１５０〜１８０℃で膨張するものが好適であり、たとえば、アクリル系樹脂殻の中に液化炭化水素を封入したものが例示される。弾性系樹脂接着剤への添加量は５〜１５重量％が適当であり、この添加範囲では、膨張温度に加熱することにより、熱発泡型接着剤層１０は、初期の２００〜３００％の体積まで膨張可能である。カウンター１とシンク３との分離を確実にする。熱発泡型接着剤層１０の厚さは１００〜１５０μｍ程度とすることができる。
【００１８】
なお、シンク３のフランジ８とカウンター１の裏面との間には、ブチルゴムなどから形成されるパッキン１１を開口部２の外周縁に沿って配設し、シール性を確保することができる。使用時に水の浸入は起こらず、漏水が防止される。
【００１９】
また、上記熱発泡型接着剤は、カウンター１の裏面に配設される木質補強材６、７の接着にも使用することができる。熱発泡型接着剤の適用により、廃棄時にキッチンカウンターを加熱することにより、異種材料である木質補強材６、７もカウンター１から分離し、解体することができる。
【００２０】
本実施形態では、カウンター１とシンク３とが反応硬化型接着剤により接着されているので、通常の使用環境において十分な接着性が得られ、シンク３が外れるおそれはない。また、カウンター１の裏面と反応硬化型接着剤層９との間に熱発泡型接着剤層１０が介設されているので、廃棄時にキッチンカウンターを加熱することにより、反応硬化型接着剤層９が強固であっても、熱発泡型接着剤層１０が発泡し、接着力が低下して、カウンター１とシンク３とに分離解体することができる。
【００２１】
また、本実施形態では、図１に示したように、シンク３は、カウンター１の裏面において開口部２の左右両側に近接して配設される木質補強材７にシンク固定金具１２によって連結している。シンク固定金具１２は、一端部をシンク３のフランジ８に接着、溶接などによって接続しておくことができる。他端部は、木質補強材７の裏面に当接させて配置し、ビス１３を用いて木質補強材７に接続することができる。このようなシンク固定金具１２を用いてシンク３と木質補強材７とを連結することにより、キッチンカウンターにおけるシンク３の取付強度が向上する。一方、シンク固定金具１２は、ビス１３によって木質補強材７に接続されるため、ビス１３を緩めることにより取り外し自在であり、廃棄時のカウンター１とシンク３との分離解体を阻害しない。
【００２２】
図３は、本願発明のキッチンカウンターの作製工程の一例を示した要部平面図である。
【００２３】
開口部２が形成された人造大理石製のカウンター１を裏面を上にして配置する。
【００２４】
次いで、開口部２の外周を四角く取り囲むように木質補強材６、７を、接着剤を用いてカウンター１の裏面に接着する。木質補強材６は、カウンター１の前端縁、後端縁にそれぞれ配置し、木質補強材７は、開口部２の左右両側に開口部２に近接して配置する。
【００２５】
この後、木質補強材６、７を基準にし、その内側縁に沿って熱発泡型接着剤１０ａをカウンター１の裏面に塗布する。熱発泡型接着剤１０ａは、木質補強材６、７を基準として塗布することができるため、塗工作業性が良好である。
【００２６】
そして、シンク３を、図１および図２に示したフランジ８を下に向けてカウンター１の裏面に置く。このとき、フランジ８とカウンター１の裏面との間に、図２に示したパッキン１１を介在させる。反応硬化型接着剤を木質補強材６、７によって囲まれた区画内に注入し、硬化、養生させる。カウンター１を表に返す。
【００２７】
図４に示したように、シンク３が反応硬化型接着剤によりカウンター１に接着されてキッチンカウンターが形成される。カウンター１の裏面と反応硬化型接着剤層９との間に熱発泡型接着剤層１０が介設されている。図４図中の符号１４は、木質補強材６、７をカウンター１の裏面に接着する接着剤により形成された接着剤層である。
【００２８】
図５は、本願発明のキッチンカウンターの作製工程の別の例を示した要部平面図である。
【００２９】
開口部２が形成された人造大理石製のカウンター１を裏面を上にして配置する。
【００３０】
次いで、開口部２の外周を四角く取り囲むように木質補強材６、７を、接着剤を用いてカウンター１の裏面に接着する。木質補強材６は、カウンター１の前端縁、後端縁にそれぞれ配置し、木質補強材７は、開口部２の左右両側に開口部２に近接して配置する。ここまでの工程は、図３に示した作製工程と同様である。
【００３１】
この後、図１および図２に示したシンク３のフランジ８と同形状のフランジ形状枠１５を開口部２に嵌め込む。フランジ形状枠１５は、図５図中のＡ−Ａ断面である図６に示したように、断面略Ｌ字型であり、開口部２の大きさおよび形状に略等しい略方形の枠体である。熱発泡型接着剤１０ａは、フランジ形状枠１５を基準にしてその外周縁に塗布する。塗布後、フランジ形状枠１５は取り外される。熱発泡型接着剤１０ａは、開口部２の外周縁に隣接してカウンター１の裏面に塗布されている。図３に示した熱発泡型接着剤１０ａの塗布に比べると、塗布部位に角隅部がないので、熱発泡型接着剤１０ａの塗工作業性が向上する。
【００３２】
そして、シンク３を、図１および図２に示したフランジ８を下に向けてカウンター１の裏面に置く。このとき、フランジ８とカウンター１の裏面との間に、図２に示したパッキン１１を介在させる。反応硬化型接着剤を木質補強材６、７によって囲まれた区画内に注入し、硬化、養生させる。カウンター１を表に返す。
【００３３】
シンク３が反応硬化型接着剤によりカウンター１に接着されてキッチンカウンターが形成される。カウンター１の裏面と反応硬化型接着剤層９との間に熱発泡型接着剤層１０が介設されている。
【実施例１】
【００３４】
図３に示した工程にしたがってキッチンカウンターを作製した。
【００３５】
人造大理石製のカウンター１に形成された開口部２の外周に木質補強材６、７を変性シリコーン系接着剤を用いて取り付けた。次いで、木質補強材６、７の内側縁に沿って治具を用いて熱発泡型接着剤１０ａを厚さ１００μｍで均一に塗布した。使用した熱発泡型接着剤１０ａは、１液型の変性シリコーン系接着剤に熱膨張型機能材料を１０重量％混入したものであり、熱膨張型機能材料は、アクリル樹脂殻の中に液化炭化水素が封入されたものである。熱発泡型接着剤１０ａの塗布を木質補強材６、７を基準にして行うことができ、熱発泡型接着剤１０ａの塗工作業性は良好であった。
【００３６】
熱発泡型接着剤１０ａの塗布後、ステンレス製のシンクを、フランジを下に向けてカウンター１の裏面にかぶせた。カウンター１の裏面とフランジとの間にはゴムパッキンを介在させた。そして、２液型の熱硬化型ウレタン系接着剤を木質補強材６、７で囲まれた区画内に注入した。ウレタン系接着剤の硬化、養生後、キッチンカウンターを得た。
【００３７】
得られたキッチンカウンターについて接着耐久性試験および加熱分離試験を行った。その結果を表１に示した。接着耐久性試験および加熱分離試験の内容は表１に示した通りである。また、表１には、キッチンカウンターの作製条件も併せて示した。
【００３８】
【表１】
2007222344.tif 000003
漏水、剥離はなく、接着耐久性が良好であり、カウンターとシンクとは分離可能であった。
【実施例２】
【００３９】
熱発泡型接着剤の塗布厚さを１５０μｍに変えた以外は実施例１と同様にしてキッチンカウンターを作製した。
【００４０】
作製条件、接着耐久性試験および加熱分離試験の結果は表１に示した通りである。
【００４１】
漏水、剥離はなく、接着耐久性が良好であり、カウンターとシンクとは分離可能であった。
【実施例３】
【００４２】
熱膨張型機能材料の混入量を１５重量％に変えた以外は実施例１と同様にしてキッチンカウンターを作製した。
【００４３】
作製条件、接着耐久性試験および加熱分離試験の結果は表１に示した通りである。
【００４４】
漏水、剥離はなく、接着耐久性が良好であり、カウンターとシンクとは分離可能であった。
【実施例４】
【００４５】
熱発泡型接着剤の塗布を図５に示した工程にしたがって行った。
【００４６】
シンクのフランジと同形状のフランジ形状枠１５をカウンター１に形成された開口部２に嵌め込んだ。このフランジ形状枠１５を基準にしてその外周縁に、実施例１で用いた熱発泡型接着剤１０ａを塗布した。熱発泡型接着剤１０ａの塗布部位に角隅部がないので、熱発泡型接着剤１０ａの塗工作業性が向上した。
【００４７】
次いで、フランジ形状枠１５を取り外し、シンクを、フランジを下に向けてカウンター１の裏面に置いた。このとき、フランジとカウンター１の裏面との間にゴムパッキンを介在させた。そして、２液型の熱硬化型ウレタン系接着剤を木質補強材６、７によって囲まれた区画内に注入し、硬化、養生させた。キッチンカウンターを得た。
【００４８】
作製条件、接着耐久性試験および加熱分離試験の結果は表１に示した通りである。
【００４９】
漏水、剥離はなく、接着耐久性が良好であり、カウンターとシンクとは分離可能であった。
＜比較例１＞
【００５０】
熱発泡型接着剤を塗布しない以外は実施例１と同様にしてキッチンカウンターを作製した。
【００５１】
作製条件、接着耐久性試験および加熱分離試験の結果は表１に示した通りである。
【００５２】
カウンターとシンクとは強固に固定され、漏水、剥離はなかったが、カウンターとシンクとは分離不可能であった。
【図面の簡単な説明】
【００５３】
【図１】本願発明のキッチンカウンターの一実施形態を示した要部平面図である。
【図２】図１図中のＡ−Ａ断面図である。
【図３】本願発明のキッチンカウンターの作製工程の一例を示した要部平面図である。
【図４】図３に示した作製工程によって得られるキッチンカウンターの要部断面図である。
【図５】本願発明のキッチンカウンターの作製工程の別の例を示した要部平面図である。
【図６】図５図中のＡ−Ａ断面図である。
【符号の説明】
【００５４】
１    カウンター
２    開口部
３    シンク
４    前垂れ部
５    バックガード
６、７    木質補強材
８    フランジ
９    反応硬化型接着剤層
１０    熱発泡型接着剤層
１０ａ    熱発泡型接着剤
１１    パッキン
１２    シンク固定金具
１３    ビス
１４    接着剤層
１５    フランジ形状枠
【図１】
2007222344.tif 000004
【図２】
2007222344.tif 000005
【図３】
2007222344.tif 000006
【図４】
2007222344.tif 000007
【図５】
2007222344.tif 000008
【図６】
2007222344.tif 000009